(57)【要約】【課題】簡易な構成としつつも複数のおみくじを保管できるとともに、取り扱い性、閲覧性に優れるおみくじホルダーを提供する。【解決手段】おみくじホルダー１は、複数のおみくじを保管可能であり、表紙２と、表紙２に固定された用紙からなる複数の頁３とを備え、各頁３は、おみくじを挿入可能な切れ目部を複数有しており、互いに隣接した切れ目部は所定間隔をもって平行に配置されており、各頁３は平面視が略長方形であり、複数の切れ目部は、頁３の短手方向に延びて形成されている。【選択図】図１
2019217775.tif 000002
【特許請求の範囲】
【請求項１】
複数のおみくじを保管可能なおみくじホルダーであって、
該おみくじホルダーは、表紙と、該表紙に固定された用紙からなる複数の頁とを備え、
前記各頁は、前記おみくじを挿入可能な切れ目部を複数有しており、互いに隣接した切れ目部は所定間隔をもって平行に配置されていることを特徴とするおみくじホルダー。
【請求項２】
前記各頁は平面視が略長方形であり、前記複数の切れ目部は、該頁の短手方向に延びて形成されていることを特徴とする請求項１記載のおみくじホルダー。
【請求項３】
前記複数の切れ目部の切れ目長さは、いずれも６〜８ｃｍであることを特徴とする請求項１または請求項２記載のおみくじホルダー。
【請求項４】
前記各頁において、前記複数の切れ目部は３つであることを特徴とする請求項１から請求項３までのいずれか１項記載のおみくじホルダー。
【請求項５】
２つの前記所定間隔の長さがいずれも２〜８ｃｍであり、該２つの所定間隔の長さが互いに異なっていることを特徴とする請求項４項記載のおみくじホルダー。
【請求項６】
前記各頁は、該頁の端部に、頁厚さが該頁の他の部分よりも厚く形成された肉厚部を有することを特徴とする請求項１から請求項５までのいずれか１項記載のおみくじホルダー。
【発明の詳細な説明】
【技術分野】
【０００１】
本発明は、神社などで販売されるおみくじを保管するためのおみくじホルダーに関する。
【背景技術】
【０００２】
近年、神社や仏閣の人気が高まり、神社などを訪れる参拝者の数が増加している。神社などではおみくじが販売されており、運試しや参拝の記念などの目的でおみくじを引く参拝者も多い。一般に、おみくじは結びどころに結んだり、持ち帰ったりされている。持ち帰ったおみくじは、例えば、財布の中や自宅の所定の場所などに大切に保管されることが望ましい。しかし、その保管方法に困ることも多く、結果としておみくじを汚してしまったり、紛失してしまったりすることがある。
【０００３】
おみくじを保管する手段として、例えば、特許文献１には、有底の円筒状または多角筒状の主筒と、該主筒の開口を開閉する蓋筒とを備えた紙製のおみくじ容器が記載されている。該おみくじ容器によれば、紙状のおみくじを丸めて収納できるため、折り目を少なくでき保管性に優れる。また、特許文献２には、専用台本体におみくじを結んだ状態で保管可能なおみくじスタンドが記載されている。この場合、おみくじを結んだ状態で保管できるため、省スペースとなり、またおみくじの型崩れを防ぐことができる。
【先行技術文献】
【特許文献】
【０００４】
【特許文献１】実用新案登録第３１９２５６３号公報
【特許文献２】実用新案登録第３１８６５６３号公報
【発明の概要】
【発明が解決しようとする課題】
【０００５】
ところで、参拝の記念や収集などの目的で複数の神社のおみくじを保管する場合がある。この場合、複数のおみくじが状態良く保管できることが望ましく、また、おみくじに記載された託宣を後から読み返す際の使い勝手に優れることが望ましい。上記特許文献１のおみくじ容器は、複数のおみくじを整理して保管することが難しく、また、読み返す際にもその都度おみくじを容器から取り出す必要があり、取り扱い性に劣る。また、上記特許文献２のスタンドはおみくじを結んだ状態で保管することを前提としているため、読み返す際に手間となる。
【０００６】
本発明はこのような事情に鑑みてなされたものであり、簡易な構成としつつも複数のおみくじを保管できるとともに、取り扱い性、閲覧性に優れるおみくじホルダーを提供することを目的とする。
【課題を解決するための手段】
【０００７】
本発明のおみくじホルダーは、複数のおみくじを保管可能なおみくじホルダーであって、該おみくじホルダーは、表紙と、該表紙に固定された用紙からなる複数の頁とを備え、上記各頁は、上記おみくじを挿入可能な切れ目部を複数有しており、互いに隣接した切れ目部は所定間隔をもって平行に配置されていることを特徴とする。本発明において、「平行」とは、厳密に平行である必要はなく、略平行であればよい。つまり、互いに隣接した切れ目部同士の間隔の長さが一定の状態および略一定の状態を含む。
【０００８】
上記各頁は平面視が略長方形であり、上記複数の切れ目部は、上記頁の短手方向に延びて形成されていることを特徴とする。
【０００９】
上記複数の切れ目部の切れ目長さは、いずれも６〜８ｃｍであることを特徴とする。
【００１０】
上記各頁において、上記複数の切れ目部は３つであることを特徴とする。
【００１１】
２つの上記所定間隔がいずれも２〜８ｃｍであり、該２つの所定間隔が互いに異なっていることを特徴とする。
【００１２】
上記各頁は、該頁の端部に、頁厚さが該頁の他の部分よりも厚く形成された肉厚部を有することを特徴とする。
【発明の効果】
【００１３】
本発明のおみくじホルダーは、各頁がおみくじを挿入可能な切れ目部を複数有しており、互いに隣接した切れ目部は所定間隔をもって平行に配置されているので、簡易な構成としつつも、複数の平行な切れ目部を跨ぐようにおみくじを挿入することでおみくじを安定に保持できる。また、該おみくじホルダーは、複数の頁を備えたホルダーとなっており、各頁にそれぞれおみくじを保管できるので閲覧性に優れる。
【００１４】
おみくじホルダーは平面視が略長方形であり、複数の切れ目部は、おみくじホルダーの短手方向に延びて形成されているので、一般的な長方形のおみくじの形状に合わせておみくじを保持でき、使い勝手に優れる。
【００１５】
各頁において、複数の切れ目部は３つであるので、例えば、おみくじを頁の表面側と裏面側に交互に通すことができ、おみくじをより安定して保持できる。さらに、２つの所定間隔がいずれも２〜８ｃｍであり、該２つの所定間隔が互いに異なっているので、おみくじの保持性を確保しつつも、頁の表面側に表出するおみくじの面積などを調整でき、おみくじを保持した状態での閲覧性を向上できる。
【００１６】
各頁は、該頁の端部に、頁厚さが該頁の他の部分よりも厚く形成された肉厚部を有するので、該肉厚部によって生じた空間におみくじが保持されることで、おみくじホルダーの嵩張りを抑制でき、見た目にも良好となる。
【図面の簡単な説明】
【００１７】
【図１】本発明のおみくじホルダーの一例を示す斜視図などである。
【図２】図１のおみくじホルダーの頁の平面図である。
【図３】図２の頁におみくじを挿入した状態の図である。
【図４】図３のおみくじを挿入した状態のＡ−Ａ線断面図である。
【図５】図２の頁におみくじを挿入した状態の他の例を示す図である。
【図６】本発明のおみくじホルダーの頁の他の例を示す平面図である。
【図７】切れ目部の形状の他の例を示す図である。
【図８】本発明のおみくじホルダーの他の例を示す斜視図などである。
【発明を実施するための形態】
【００１８】
本発明のおみくじホルダーの一実施例を図１に基づいて説明する。図１（ａ）は、このおみくじホルダーを示す斜視図であり、図１（ｂ）は、頁を捲った状態を示す図である。図１に示すように、おみくじホルダー１は、表紙２と、表紙２に固定された用紙からなる複数の頁３とを備える。おみくじホルダー１は、平面視が略長方形であり、長辺の一辺側で各頁が綴じられており、見開き状態において各頁が閲覧可能になっている。表紙２は、表表紙２ａと裏表紙２ｂと背表紙２ｃとから構成され、それぞれが互いに折曲げ可能に連結されている。本発明では、各頁について、表表紙２ａ側の頁を表頁３ａといい、裏表紙２ｂ側の頁を裏頁３ｂという。各頁３（表頁３ａおよび裏頁３ｂを含む）は、複数の用紙が接合された用紙ユニット６の一面となっている。
【００１９】
図１（ｂ）に示すように、本発明のおみくじホルダーは、各頁３が３つの切れ目部からなる切れ目４を有しており、互いに隣接した切れ目部は所定間隔をもって平行に配置されている。頁間で、各切れ目部はそれぞれ同じ高さ位置に形成されている。各頁において、複数の切れ目部を跨ぐようにおみくじを差し込むことで、各頁におみくじを保持させることができる。
【００２０】
各頁における切れ目部の構成について、図２に基づいて説明する。図２は、図１のおみくじホルダー１の表頁３ａの平面図である。なお、裏頁も同様の構成である。図２に示すように、表頁３ａは平面視が略長方形であり、その大きさは、表表紙２ａおよび裏表紙２ｂと同一か、僅かに小さい大きさである。表頁３ａにおいて、例えば、長手方向の長さは１５〜３０ｃｍであり、短手方向の長さは６〜１５ｃｍである。
【００２１】
図２において、切れ目４は、３つの直線状の切れ目部から構成され、第１切れ目部４ａと第２切れ目部４ｂと第３切れ目部４ｃとを有する。切れ目４は、表頁３ａの短手方向に延びて形成されている。具体的には、各切れ目部は、表頁３ａの短手方向と同軸に形成されている。図２では、切れ目４は、表頁３ａの短手方向中央線Ｃで左右対称となるように配置される。表頁３ａの短手方向における各切れ目部の切れ目長さＬは、おみくじが挿入可能な長さであればよく、例えば、６〜１０ｃｍである。おみくじは、通常、平面視が長方形の用紙からなり、おみくじの短手方向の長さは６ｃｍ程度であるので、切れ目長さＬは、その長さと同一か僅かに大きい長さである６〜８ｃｍであることが好ましい。
【００２２】
なお、図２では、各切れ目部における各切れ目長さは互いに同一となっているが、それらの長さが互いに異なっていてもよい。例えば、最上段の切れ目部となる第１切れ目部４ａの切れ目長さを、他の切れ目部４ｂ、４ｃの切れ目長さよりも長くしてもよい。この場合、おみくじの最初の挿入口となる第１切れ目部４ａが、他の切れ目部に比べて余裕をもった大きさとなるため、おみくじが差し込みやすくなり取り扱い性に優れる。
【００２３】
また、各切れ目部の両端にはそれぞれスリット７が設けられている。スリット７は、表頁３ａの下端に向かって傾斜するように、への字状に形成されている。スリット７を設けることで、おみくじの挿入時に荷重がかかることや、おみくじを保持している際におみくじの縁が擦れることによって、切れ目部の端から用紙が裂けることを抑制できる。なお、スリット７の形状は、おみくじ脱着等の際の裂けを防止できる形状であればよく、特に限定されない。例えば、各切れ目部の両端に、平面視略円形（図６参照）や平面視略ひし形の孔部を設けてもよい。
【００２４】
図２において、複数の切れ目部は互いに平行に配置される。具体的には、第１切れ目部４ａと第２切れ目部４ｂが間隔Ｄ1をもって平行に配置され、第２切れ目部４ｂと第３切れ目部４ｃが間隔Ｄ2をもって平行に配置される。間隔Ｄ1、Ｄ2の長さはそれぞれ、１〜１０ｃｍであり、好ましくは２〜８ｃｍである。図２では、間隔Ｄ1、Ｄ2の長さは、互いに異なる長さとなっており、下側の間隔Ｄ2の方がＤ1よりも短くなっている。なお、下側の間隔Ｄ2の方をＤ1よりも長くしてもよい。このように少なくとも一つの間隔の長さを他よりも長くすることで、例えば、頁３の表面に表出するおみくじの面積を調整でき、おみくじの閲覧性を向上できる。
【００２５】
図２に示した頁におみくじを挿入した状態を図３に示す。図３の挿入状態において、おみくじ５は、表頁３ａの長手方向つまり切れ目部に対して直交する方向に沿って、表頁３ａの用紙の表面側、裏面側を交互に通るように各切れ目部に挿入される。この場合、おみくじ５において、第１切れ目部４ａよりも上側の部分、および、第２切れ目部４ｂから第３切れ目部４ｃまでの部分が表出し、第１切れ目部４ａから第２切れ目部４ｂまでの部分、および、第３切れ目部４ｃよりも下側の部分が、後述するように用紙ユニット６の内部空間に収納される。この場合、第１切れ目部４ａよりも上側の部分、および、第２切れ目部４ｂから第３切れ目部４ｃまでの部分は、挿入状態のままでも託宣を読むことができる。また、この構成では、各切れ目部間（４ａ−４ｂ間、４ｂ−４ｃ間）の用紙部分がそれぞれバンドとしての機能を果たすため、簡易な構成としつつもおみくじを安定して保持できる。
【００２６】
また、第１切れ目部４ａは、例えば、表頁３ａの上端から所定距離（例えば、５ｃｍ）離れた位置に設けられる。所定距離離すことで、挿入状態において、おみくじの上側にスペースＳが生じる。スペースＳは、例えば、おみくじを引いた日時や、社寺名、吉凶（大吉・吉・中吉・小吉・末吉・凶）などを書き込むスペースとして使用できる。同様に、第３切れ目部４ｃは、頁の下端から所定距離（例えば、５ｃｍ）離れた位置に設けられる。この場合も、おみくじの下側に生じたスペースＳに、種々の情報を書き込むことができる。なお、これらのスペースＳに予め欄を設けておいてもよい。
【００２７】
図４には、図３のおみくじを挿入した状態の用紙ユニットのＡ−Ａ線断面図を示す。この場合、表頁３ａ側と裏頁３ｂ側のそれぞれにおみくじが挿入されている。図４に示すように、用紙ユニット６は、３つの用紙からなっており、表頁３ａを構成する用紙６ａと裏頁３ｂを構成する用紙６ｂとが用紙６ｃを介在させて接合されている。用紙６ａおよび用紙６ｂには、上述した切れ目部が形成されており、用紙６ｃには、切れ目部が形成されていない。上記接合は、各用紙の重ね合わせ面の一部に塗布された糊８によってなされる。糊８は、例えば、各用紙６ａ〜６ｃの重ね合わせ面の外周部にのみ塗布され、各用紙６ａ〜６ｃの重ね合わせ面の内周部には塗布されない。その結果、表頁３ａ側には、用紙６ａと用紙６ｃとの間に内部空間が形成される。表頁３ａの切れ目部は、表頁３ａ側の内部空間と用紙６ａの外表面とを繋いでおり、挿入状態においておみくじ５の一部はこの内部空間に収納される。同様に、裏頁３ｂ側には、用紙６ｂと用紙６ｃとの間に内部空間が形成される。裏頁３ｂの切れ目部は、裏頁３ｂ側の内部空間と用紙６ｂの外表面とを繋いでおり、挿入状態においておみくじ５の一部はこの内部空間に収納される。
【００２８】
用紙ユニット６を構成する各用紙６ａ〜６ｃの種類は、特に限定されず、例えば、複写用紙、コピー用紙、アート紙、コート紙、マット紙、上質紙などの任意の用紙を使用できる。これらの用紙は、単独でも複数種を組み合わせて使用してもよい。用紙６ａおよび用紙６ｂには、同じ種類の用紙を用いることが好ましい。用紙６ｃは、用紙６ａおよび用紙６ｂに比べて厚さが薄い紙を用いることが好ましい。
【００２９】
図４に示した用紙ユニット６では、用紙６ａと用紙６ｂとを用紙６ｃを介在させて接合したが、これに限定されず、用紙６ｃを用いずに用紙６ａと用紙６ｂとを直接接合させてもよい。ただし、おみくじの挿入時の使い勝手などから、用紙６ｃを介在させる構成の方が好ましい。具体的には、用紙６ｃがあることで、一方側の頁からおみくじを挿入する際に裏側の頁の切れ目に影響されて挿入が困難となることを抑制できる。また、用紙ユニット６の両側におみくじを挿入した状態でも、各おみくじの収納スペースが用紙６ｃによって仕切られているので、互いのおみくじを干渉させずに保持させることができる。
【００３０】
本発明のおみくじホルダーでは、複数の用紙を重ね合わせた用紙ユニットにより各頁が構成されるので、用紙ユニットの両側、つまり表頁と裏頁におみくじをそれぞれ保持させることができる。これにより、多くのおみくじを保持でき、また、頁の裏面におみくじがはみ出すことを防げるので、見た目にも優れる。
【００３１】
図２に示した頁におみくじを挿入した状態の他の例を図５に示す。おみくじによって長手方向長さは様々であり、図５に示すおみくじ５’は、その長手方向長さがおみくじホルダーの長手方向長さよりも長くなっている。
【００３２】
図５において、まず、おみくじ５’の下端から切れ目部４ｂに挿入し、切れ目部４ｃからおみくじ５’の下部を表出させる。そして、おみくじ５’の上部に形成された折り目部５ａ’でおみくじ５’を折り曲げた状態で、おみくじ５’の上端を切れ目部４ａに差し込む。このとき、折り目部５ａ’で折り曲げられた部分が、切れ目部４ａに引っかかった状態となる。この状態で、おみくじ５’の下部を下方へゆっくり引っ張り、図５中図の状態とする。最後に、所定位置の折り目部５ｂ’でおみくじ５’の下部を折り返すことで、おみくじホルダーからはみ出さずにおみくじ５’を収納できる。このように折り返して収納する場合には、おみくじ５’を保持した状態のまま、折り返し部分を開くことで容易に託宣を読むことができる。また、頁の表面側に表出した部分が多いため、閲覧性に優れる。なお、一般に、おみくじは折り畳まれて販売されている場合が多く、予め複数の折り目部が形成されている場合が多い。図５の収納方法では、その予め形成された折り目部を利用することが好ましい。
【００３３】
また、図１に示すおみくじホルダー１は、継ぎ目のない見開き頁を有する。この場合、おみくじホルダー１は、二つ折りされた１枚の用紙を複数重ねて構成されている。各用紙は、折り目部が同じ側に位置するように向きを揃えられて重ね合わされている。このおみくじホルダー１は、用紙の折り目部を広げるように捲られる。このため、見開き頁は、１枚の用紙から構成される。この構成とすることで、おみくじホルダー１のいずれの頁を捲った状態でも、見開き頁を完全にフラットな状態とできる。見開き頁の中央に継ぎ目も凹凸もないため、書き込み時などにおいて引っ掛かりがなく使用感に優れる。
【００３４】
本発明のおみくじホルダーの頁の構成について、他の実施例を図６に基づいて説明する。図６に示すように、表頁３ａ’は、４つの切れ目部からなる切れ目４’を有している。切れ目４’は、表頁３ａ’の短手方向の左寄りに形成され、表頁３ａ’の右寄りにはスペースＳ’が設けられる。切れ目４’において、互いに隣接した切れ目部同士の間隔の長さは互いに等しくなっている。
【００３５】
なお、各頁における切れ目部の数は、３個や４個に限らず、２個や５個以上であってもよい。おみくじの保持性と保持した状態での閲覧性とのバランスから、各頁における切れ目部の数は３〜４個が好ましい。
【００３６】
上記図１〜図６において、各切れ目部は、頁の短手方向に沿って１本の直線状に形成したが、これに限らず、複数の直線部、複数の曲線部、またはこれらを組み合わせて形成してもよい。例えば、図７に示すように、各切れ目部は、ジグザグ状（図７（ａ））、略円弧状（図７（ｂ））、波型状（図７（ｃ））、略放物線状（図７（ｄ））などにすることができる。図７（ａ）〜（ｄ）では、各図の左右方向が頁の短手方向に相当し、各切れ目部は、全体として短手方向に延びて形成されている。これらの形状においても、互いに隣接した切れ目部同士は、間隔長さＤを維持した状態で並列に配置される（平行となっている）。なお、各形状における切れ目長さＬは、図７に示すように、頁の短手方向における各切れ目部の一端から他端までの長さである。
【００３７】
各頁における切れ目部は、用紙を裁断したり、所定長さや所定形状のカッターを押し当てるなどして形成される。本発明のおみくじホルダーは、予め切れ目部が形成された用紙を周知の方法で綴じることで製造される。
【００３８】
本発明のおみくじホルダーの他の実施例を図８に基づいて説明する。おみくじホルダー１１は、表紙１２と表紙１２に固定された用紙からなる複数の頁１３とを有する。頁１３は複数の切れ目部からなる切れ目１４を有するとともに、頁の端部に、頁厚みが該頁の他の部分よりも厚く形成された肉厚部１７を有する。図８において、肉厚部１７は、表頁１３ａの右上端の一部が表表紙側に折り曲げられて構成される。肉厚部１７は、用紙の一部が折り返され、重ねられることで他の部分よりも肉厚となっている。
【００３９】
おみくじホルダーは保管するおみくじの数の増加に伴って、そのおみくじの厚み分嵩張っていくため、外観を損ね、使い勝手に支障をきたすおそれがある。この点を考慮し、各頁１３に肉厚部１７を設けることで、肉厚部１７によって生じた頁間のスペースにおみくじが保持されるため、おみくじの保管に伴う嵩張りが抑制される。また、各頁が該頁の端部（図８では右上端）に肉厚部１７を有するため、頁送りなど使い勝手に一層優れる。
【００４０】
以上、各図に基づきおみくじホルダーの形態を説明したが、本発明のおみくじホルダーの構成は、これに限定されるものではない。
【産業上の利用可能性】
【００４１】
本発明のおみくじホルダーは、簡易な構成としつつも複数のおみくじを保管できるとともに、取り扱い性、閲覧性に優れるので、おみくじを複数保管するのに適している。
【符号の説明】
【００４２】
１、１１    おみくじホルダー
２、１２    表紙
３、１３    頁
３ａ、１３ａ    表頁
３ｂ、１３ｂ    裏頁
４、１４    切れ目
４ａ、４ｂ、４ｃ    切れ目部
５、５’    おみくじ
６、１６    用紙ユニット
６ａ、６ｂ、６ｃ    用紙
７    スリット
８    糊
１７    肉厚部
【図１】
2019217775.tif 000003
【図２】
2019217775.tif 000004
【図３】
2019217775.tif 000005
【図４】
2019217775.tif 000006
【図５】
2019217775.tif 000007
【図６】
2019217775.tif 000008
【図７】
2019217775.tif 000009
【図８】
2019217775.tif 000010